(57)【要約】【課題】  配管サポートの施工図を現場の実状況に応じてより正確に編集することを目的とする。【解決手段】  サーバ１０の処理部１３は、埋込金物に取り付けられているＩＣタグ８０ａからリーダライタ５０によって読み取られた金物番号ｄ２に対応する計画位置を金物一覧表１２２から読み出し、当該読み出した計画位置と、位置測定器６０によって測定された埋込金物の打設後の位置とを比較する。また、処理部１３は、双方の埋込金物間の位置ずれの程度を示す位置ずれ量を算出し、その位置ずれ量対策として用いる補強材を補強材選定条件１２５に基づいて選定する。そして、処理部１３は、選定した補強材にて配管サポートを施工するために用いる配管サポート施工図ｆ２に配管サポート施工図ｆ１を編集するための編集条件を生成し、その編集条件をＣＡＤ装置３０に送信して、ＣＡＤ装置３０に配管サポート施工図ｆ２に編集させる。【選択図】      図１
2006214472.tif 000002
【特許請求の範囲】
【請求項１】
配管サポートを埋込金物にて計画位置に施工するために用いる第１配管サポート施工図を編集する図面編集装置と、前記第１配管サポート施工図の編集を支援する編集支援装置とを備えるコンピュータシステムにおける配管サポート施工図の編集方法であって、
前記編集支援装置が、
前記第１配管サポート施工図に記載された埋込金物の打設後、位置測定器によって測定された当該埋込金物の打設後の位置と、当該埋込金物に取り付けられているＩＣタグの読取器によって読み取られた当該埋込金物の金物用識別情報とを関連付けて受信するステップと、
前記受信した金物用識別情報に対応する前記埋込金物の計画位置を記憶部から読み出し、当該読み出した埋込金物の計画位置と前記受信した打設後の位置とを比較するステップと、
前記比較により双方の埋込金物間の位置ずれの程度を示す位置ずれ量を算出するステップと、
前記位置ずれの対策として用いる補強材を選定するための補強材選定条件を前記記憶部から読み出し、当該補強材選定条件に基づいて、前記算出した位置ずれ量に適合する補強材を選定するステップと、
前記打設後の埋込金物および前記選定した補強材にて前記配管サポートを施工するために用いる第２配管サポート施工図に前記第１配管サポート施工図を編集するための編集条件を生成するステップと、
前記生成した編集条件を前記図面編集装置に送信するステップと、を実行し、
前記図面編集装置が、
前記編集支援装置からの前記編集条件を受信するステップと、
前記受信した編集条件に関する前記第１配管サポート施工図を記憶部から読み出し、当該編集条件に基づいて、当該第１配管サポート施工図を前記第２配管サポート施工図に編集するステップと、
前記編集した第２配管サポート施工図を外部出力するステップと、
を実行することを特徴とする配管サポート施工図の編集方法。
【請求項２】
前記第２配管サポート施工図には、当該配管サポートの設計寸法が記載されており、
前記編集支援装置は、
前記第２配管サポート施工図に記載された配管サポートの施工後に前記位置測定器によって測定された当該配管サポートの実寸法と、当該配管サポートに取り付けられているＩＣタグの前記読取器によって読み取られた当該配管サポートのサポート用識別情報とを関連付けて受信するステップと、
前記受信したサポート用識別情報に対応する前記配管サポートの設計寸法を前記記憶部から読み出し、当該設計寸法と前記受信した配管サポートの実寸法との寸法差を算出するステップと、
前記算出した寸法差を前記図面編集装置に送信するステップと、をさらに実行し、
前記図面編集装置は、
前記編集支援装置からの前記寸法差を受信するステップと、
前記受信した寸法差を前記第２配管サポート施工図に反映して、施工完了後の配管サポートの完成図を作成するステップと、
前記作成した完成図を外部出力するステップと、をさらに実行することを特徴とする請求項１に記載の配管サポート施工図の編集方法。
【請求項３】
配管サポートを埋込金物にて計画位置に施工するために用いる第１配管サポート施工図を編集する図面編集装置と、前記第１配管サポート施工図の編集を支援する編集支援装置とを備える図面編集システムであって、
前記編集支援装置が、
前記第１配管サポート施工図に記載された埋込金物の打設後、位置測定器によって測定された当該埋込金物の打設後の位置と、当該埋込金物に取り付けられているＩＣタグの読取器によって読み取られた当該埋込金物の金物用識別情報とを関連付けて受信する処理と、
前記受信した金物用識別情報に対応する前記埋込金物の計画位置を記憶部から読み出し、当該読み出した埋込金物の計画位置と前記受信した打設後の位置とを比較する処理と、
前記比較により双方の埋込金物間の位置ずれの程度を示す位置ずれ量を算出する処理と、
前記位置ずれの対策として用いる補強材を選定するための補強材選定条件を前記記憶部から読み出し、当該補強材選定条件に基づいて、前記算出した位置ずれ量に適合する補強材を選定する処理と、
前記打設後の埋込金物および前記選定した補強材にて前記配管サポートを施工するために用いる第２配管サポート施工図に前記第１配管サポート施工図を編集するための編集条件を生成する処理と、
前記生成した編集条件を前記図面編集装置に送信する処理と、を実行し、
前記図面編集装置が、
前記編集支援装置からの前記編集条件を受信する処理と、
前記受信した編集条件に関する前記第１配管サポート施工図を記憶部から読み出し、当該編集条件に基づいて、当該第１配管サポート施工図を前記第２配管サポート施工図に編集する処理と、
前記編集した第２配管サポート施工図を外部出力する処理と、
を実行することを特徴とする図面編集システム。
【請求項４】
前記第２配管サポート施工図には、当該配管サポートの設計寸法が記載されており、
前記編集支援装置は、
前記第２配管サポート施工図に記載された配管サポートの施工後に前記位置測定器によって測定された当該配管サポートの実寸法と、当該配管サポートに取り付けられているＩＣタグの前記読取器によって読み取られた当該配管サポートのサポート用識別情報とを関連付けて受信する処理と、
前記受信したサポート用識別情報に対応する前記配管サポートの設計寸法を前記記憶部から読み出し、当該設計寸法と前記受信した配管サポートの実寸法との寸法差を算出する処理と、
前記算出した寸法差を前記図面編集装置に送信する処理と、をさらに実行し、
前記図面編集装置は、
前記編集支援装置からの前記寸法差を受信する処理と、
前記受信した寸法差を前記第２配管サポート施工図に反映して、施工完了後の配管サポートの完成図を作成する処理と、
前記作成した完成図を外部出力する処理と、をさらに実行することを特徴とする請求項３に記載の図面編集システム。
【請求項５】
前記編集支援装置の前記記憶部には、前記第２配管サポート施工図に記載されている配管サポートおよび埋込金物の対応関係が、前記サポート用識別情報および前記金物用識別情報の対応関係を用いて格納されており、
前記編集支援装置は、前記配管サポートの設計寸法と前記配管サポートの実寸法との寸法差を算出する場合、
前記読取器によって読み取られた前記サポート用識別情報と、前記読取器によって読み取られた前記金物用識別情報とを対応付けて受信するとともに、
前記受信した金物用識別情報および当該サポート用識別情報の対応関係と、前記記憶部に格納されている前記対応関係とを照合し、
前記照合の結果、双方の対応関係が一致したことを条件に前記寸法差を算出することを特徴とする請求項４に記載の図面編集システム。
【請求項６】
前記編集支援装置は、
前記照合の結果、双方の対応関係が不一致の場合、その旨の情報を前記読取器に送信することを特徴とする請求項５に記載の図面編集システム。
【請求項７】
配管サポートを埋込金物にて計画位置に施工するために用いる第１配管サポート施工図の編集を支援する編集支援装置であって、
情報の記憶部および処理部を備え、
前記処理部が、
前記第１配管サポート施工図に記載された埋込金物の打設後、位置測定器によって測定された当該埋込金物の打設後の位置と、当該埋込金物に取り付けられているＩＣタグの読取器によって読み取られた当該埋込金物の金物用識別情報とを関連付けて受信する処理と、
前記受信した金物用識別情報に対応する前記埋込金物の計画位置を記憶部から読み出し、当該読み出した埋込金物の計画位置と前記受信した打設後の位置とを比較する処理と、
前記比較により双方の埋込金物間の位置ずれの程度を示す位置ずれ量を算出する処理と、
前記位置ずれの対策として用いる補強材を選定するための補強材選定条件を前記記憶部から読み出し、当該補強材選定条件に基づいて、前記算出した位置ずれ量に適合する補強材を選定する処理と、
前記打設後の埋込金物および前記選定した補強材にて前記配管サポートを施工するために用いる第２配管サポート施工図に前記第１配管サポート施工図を編集するための編集条件を生成する処理と、
前記生成した編集条件に基づいて前記第１配管サポート施工図を前記第２配管サポート施工図に編集させるために、当該編集条件を図面編集装置に送信する処理と、
を実行することを特徴とする編集支援装置。
【請求項８】
前記第２配管サポート施工図には、当該配管サポートの設計寸法が記載されており、
前記処理部は、
前記第２配管サポート施工図に記載された配管サポートの施工後に前記位置測定器によって測定された当該配管サポートの実寸法と、当該配管サポートに取り付けられているＩＣタグの前記読取器によって読み取られた当該配管サポートのサポート用識別情報とを関連付けて受信する処理と、
前記受信したサポート用識別情報に対応する前記配管サポートの設計寸法を前記記憶部から読み出し、当該設計寸法と前記受信した配管サポートの実寸法との寸法差を算出する処理と、
前記算出した寸法差を前記第２配管サポート施工図に反映して、施工完了後の配管サポートの完成図を作成させるために、当該寸法差を前記図面編集装置に送信する処理と、
をさらに実行することを特徴とする請求項７に記載の編集支援装置。
【請求項９】
前記記憶部には、前記第２配管サポート施工図に記載されている配管サポートおよび埋込金物の対応関係が、前記サポート用識別情報および前記金物用識別情報の対応関係を用いて格納されており、
前記処理部は、前記配管サポートの設計寸法と前記配管サポートの実寸法との寸法差を算出する場合、
前記読取器によって読み取られた前記サポート用識別情報と、前記読取器によって読み取られた前記金物用識別情報とを対応付けて受信するとともに、
前記受信した金物用識別情報および当該サポート用識別情報の対応関係と、前記記憶部に格納されている前記対応関係とを照合し、
前記照合の結果、双方の対応関係が一致したことを条件に前記寸法差を算出することを特徴とする請求項８に記載の編集支援装置。
【請求項１０】
前記処理部は、
前記照合の結果、双方の対応関係が不一致の場合、その旨の情報を前記読取器に送信することを特徴とする請求項９に記載の編集支援装置。
【発明の詳細な説明】
【技術分野】
【０００１】
本発明は、ＩＣタグ（Radio Frequency Identification、RFID）を用いて配管サポート施工図を編集する図面編集システムに関するものである。
【背景技術】
【０００２】
従来、地中埋設された供給管に取り付けたＩＣタグから当該供給管に関する情報を読み出して供給管の管理を行っていた（例えば、特許文献１参照）。
【特許文献１】特開平８−３０５７４４号公報（段落０００６）
【発明の開示】
【発明が解決しようとする課題】
【０００３】
しかしながら、特許文献１に記載された方法では、ＩＣタグを用いて供給管の管理を行うものの、配管サポートの施工図の編集を行うために用いられていなかった。配管サポートは、プラントなどの施工を行う際に取り付ける必要があるものであり、施工者は、配管サポートを取り付ける際、その施工図の内容を現場で確認しながら、埋込金物にて取り付けることとなる。施工図には、埋込金物のタイプや設置位置などが詳細に記載されている。
しかし、施工時には、建屋の構造や他の機器との位置調整などにより、例えば、埋込金物の打設位置が施工図の記載どおりにならない場合がある。
そこで、このような場合、配管サポートの施工を円滑に行うため、配管サポートの施工図を現場の実状況に応じてより正確に編集しなければならなかった。
【０００４】
本発明は、このような状況下においてなされたものであり、その目的は、配管サポートの施工図を現場の実状況に応じてより正確に編集することである。
【課題を解決するための手段】
【０００５】
前記課題を解決するために本発明は、配管サポートを埋込金物にて計画位置に施工するために用いる第１配管サポート施工図を編集する図面編集装置と、前記第１配管サポート施工図の編集を支援する編集支援装置とを備えるコンピュータシステムにおける配管サポート施工図の編集方法であって、前記編集支援装置が、前記第１配管サポート施工図に記載された埋込金物の打設後、位置測定器によって測定された当該埋込金物の打設後の位置と、当該埋込金物に取り付けられているＩＣタグの読取器によって読み取られた当該埋込金物の金物用識別情報とを関連付けて受信するステップと、前記受信した金物用識別情報に対応する前記埋込金物の計画位置を記憶部から読み出し、当該読み出した埋込金物の計画位置と前記受信した打設後の位置とを比較するステップと、前記比較により双方の埋込金物間の位置ずれの程度を示す位置ずれ量を算出するステップと、前記位置ずれの対策として用いる補強材を選定するための補強材選定条件を前記記憶部から読み出し、当該補強材選定条件に基づいて、前記算出した位置ずれ量に適合する補強材を選定するステップと、前記打設後の埋込金物および前記選定した補強材にて前記配管サポートを施工するために用いる第２配管サポート施工図に前記第１配管サポート施工図を編集するための編集条件を生成するステップと、前記生成した編集条件を前記図面編集装置に送信するステップと、を実行する。また、前記図面編集装置が、前記編集支援装置からの前記編集条件を受信するステップと、前記受信した編集条件に関する前記第１配管サポート施工図を記憶部から読み出し、当該編集条件に基づいて、当該第１配管サポート施工図を前記第２配管サポート施工図に編集するステップと、前記編集した第２配管サポート施工図を外部出力するステップと、を実行する。
【発明の効果】
【０００６】
本発明によれば、配管サポートの施工図を現場の実状況に応じてより正確に編集することができる。
【発明を実施するための最良の形態】
【０００７】
図１は、本発明の実施の形態に係る図面編集システムの全体構成を示すブロック図である。ここでは、発電所などの建屋工事の際に設置されるプラント用配管サポートの施工図（以下「配管サポート施工図」という）を編集する場合を例にして説明する。
図１において、図面編集システムは、サーバ（編集支援装置）１０、ＣＡＤ装置（図面編集装置）３０、管理者用端末４０、リーダライタ（読取器）５０および位置測定器６０を備えている。サーバ１０は、ＬＡＮ（Local Area Network）２０を介して、ＣＡＤ装置３０および管理者用端末４０に接続されている。これらサーバ１０、ＣＡＤ装置３０および管理者用端末４０はいずれも、例えば管理室に設置されている。
【０００８】
これに対して、リーダライタ５０および位置測定器６０は、施工者が現場にて用いるものである。リーダライタ５０は、ＩＣタグ７０ａ，８０ａに記録されている情報を非接触で読み取ったり、あるいはＩＣタグ７０ａ，８０ａに情報を非接触で書き込んだりするためのものである。ＩＣタグ７０ａ，８０ａは、アンテナが内蔵されている非接触型ＩＣチップのことである。なお、リーダライタ５０は、携帯式を準備することとする。
ＩＣタグ７０ａは、後記する個々の配管サポート７０にそれぞれ取り付けられ、また、ＩＣタグ８０ａも、後記する個々の埋込金物８０にそれぞれ取り付けられる。そして、ＩＣタグ７０ａには、個々の配管サポート７０を一意に特定するためのサポート番号（サポート用識別情報）ｄ１が記録され、また、ＩＣタグ８０ａにも、個々の埋込金物８０を一意に特定するための金物番号（金物用識別情報）ｄ２が記録されている。
【０００９】
位置測定器６０は、例えば、レーザやＣＣＤカメラを利用した既知の非接触３次元測定器であり、得られた測定点群の各点をもとに、後記する埋込金物８０の打設後の位置ｄ２６や、後記する配管サポート７０の実寸法を測定するように構成されている。以下、サーバ１０、ＣＡＤ装置３０および管理者用端末４０について詳述する。
【００１０】
まず、ＣＡＤ装置３０について詳述する。ＣＡＤ装置３０は、後記する配管サポート施工図ｆ１，ｆ２を編集するためのものであり、具体的には、入力部３１、表示部３２、通信部３３、記憶部３４およびこれらを制御する処理部３５を具備している。入力部３１は、キーボード、マウスなどの入力装置であり、表示部３２は、コンピュータディスプレイなどの表示装置である。通信部３３は、ＬＡＮボードなどの通信インターフェースであり、記憶部３４は、メモリ、ハードディスクなどの記憶装置である。処理部３５は、ＣＰＵなどの処理装置である。
【００１１】
記憶部３４には、配管サポート施工図ｆ１，ｆ２が格納されている。配管サポート施工図（第１配管サポート施工図）ｆ１は、後記する配管サポート７０の施工を実現するために当初計画されたものであり、施工者は、まず、この配管サポート施工図ｆ１をもとに施工を行うこととなる。
配管サポート施工図（第２配管サポート施工図）ｆ２は、施工の進捗状況に応じ、配管サポート施工図ｆ１が編集されたものである。
【００１２】
ここで、まず、前記した配管サポート施工図ｆ１の一例を図２に示す。図２によると、側面図および正面図の別に、埋込金物８０にて壁面に固定された配管サポート７０が記載されている。正面図は、側面図に記載のＸ１−Ｘ１矢視図、すなわち配管サポート７０を壁正面から見た図を表している。
また、この配管サポート施工図ｆ１には、サポート番号ｄ１や配置番号、位置番号が記載され、さらに配管サポート７０の設計寸法を示すサポート寸法ｄ１３が記載されている。サポート番号ｄ１は、図１に示したＩＣタグ７０ａに記録されるサポート番号ｄ１と同じものである。これにより、配管サポート施工図ｆ１に記載の配管サポート７０と、ＩＣタグ７０ａに取り付けられた配管サポート７０との対応関係が、１対１の関係となり、双方の配管サポート７０を対応付けることが可能となる。
サポート寸法ｄ１３として、側面図に記載の「Ａ」、「Ｂ」、および正面図に記載の「Ｃ」の各寸法を記載することとしている。なお、このようなサポート寸法ｄ１３の内訳を変更するようにしてもよい。
【００１３】
続いて、前記した配管サポート施工図ｆ２の一例を図３に示す。図３によると、図２に示した埋込金物８０のうち、中央に位置する埋込金物８０の位置が下方にずれ、かつ、その下方にずれた埋込金物８０と配管サポート７０との間には、プレートたる補強材８１が介装されている。
つまり、この配管サポート施工図ｆ２の特徴は、実際に打設された埋込金物８０の位置を反映して配管サポート施工図ｆ１を編集した点にある。
例えば、現場では、施工者が、図２に示した配管サポート施工図ｆ１をもとに埋込金物８０をその記載どおりの位置に打設しようとするが、現場調整などにより埋込金物８０の位置を変更して打設する場合がある。このような場合に、実際に打設された埋込金物８０の位置に記載するように配管サポート施工図ｆ１を作成しなおし、以降の配管サポート７０の施工図として示したのが、この配管サポート施工図ｆ２である。なお、図３のサポート寸法ｄ１３には、この編集内容に合致した値が記載されている。
【００１４】
このように、施工者は、まず、配管サポート施工図ｆ１をもとに埋込金物８０を設置することになるが、その位置は、図４に示す配置図をもとに行うこととなる。図４に示す配置図には、ある工事工区における埋込金物８０の打設位置を示したものである。
具体的には、「Ｒ５」−「Ｒ６」通りおよび「ＲＣ」−「ＲＤ」通りからなるスパンが記載され、このスパンには、埋込金物８０の打設位置が四角印でプロットされている。そして、このプロットには、「１」などの金物番号ｄ２も記載されている。金物番号ｄ２は、図１に示したＩＣタグ８０ａに記録された金物番号ｄ２と同じものである。これにより、図２に示した配管サポート施工図ｆ１に記載の埋込金物８０と、図１に示したＩＣタグ８０ａに取り付けられた埋込金物８０との対応関係が、１対１の関係となり、双方の埋込金物８０を対応付けることが可能となる。
【００１５】
そして、この配置図には、金物番号ｄ２ごとに、計画位置ｄ２５やタイプｄ２１、要求元ｄ３が記載されている。
計画位置ｄ２５には、「Ｘ」、「Ｙ」および「Ｚ」が含まれているが、これらは、通り芯を基準にしている。具体的には、「Ｘ」はＲ５−Ｒ６通り方向の位置を、「Ｙ」はＲＣ−ＲＤ通り方向の位置を、「Ｚ」は高さ方向の位置をそれぞれあらわしている。例えば、「Ｘ」にはＲ５通りからの距離が記載され、「Ｙ」にはＲＣ通りからの距離が記載され、「Ｚ」にはエレベーション（基準からの高さ）が記載される。
なお、タイプｄ２１としては、例えば形状や大きさなどがあり、要求元ｄ３としては、例えばプラントメーカなどがある。これにより、施工者は、個々の埋込金物８０を計画位置ｄ２５に設置することが可能となる。
【００１６】
図１に戻って、サーバ１０について詳述する。サーバ１０は、前記した配管サポート施工図ｆ１，ｆ２の編集を支援するためのものであり、具体的には、通信部１１、記憶部１２およびこれらを制御する処理部１３を具備している。処理部１３は、ＣＰＵなどの処理装置である。通信部１１は、リーダライタ５０、ＣＡＤ装置３０および管理者用端末４０との間の通信を実現するためのものである。例えば、無線ボードやＬＡＮボードなどの通信インターフェースがこれに該当する。
【００１７】
記憶部１２は、メモリ、ハードディスクなどの記憶装置である。この記憶部１２には、配管サポート別金物対応表１２１、配管サポート一覧表１２２、金物一覧表１２３、位置ずれ量一覧表１２４および補強材選定条件１２５が格納されている。以下、これらについて順を追って詳述する。
配管サポート別金物対応表１２１には、図５に示すように、前記したサポート番号ｄ１（図１，図２，図３参照）と前記した金物番号ｄ２（図１，図４参照）との対応関係が格納されている。これにより、配管サポート施工図ｆ１，ｆ２に記載された配管サポート７０および埋込金物８０の組み合わせパターンを管理することが可能となる。
【００１８】
配管サポート一覧表１２２には、図６に示すように、前記したサポート番号ｄ１（図１，図２，図３参照）、種別ｄ１１、拘束方向・荷重ｄ１２、サポート寸法ｄ１３（図２，図３参照）および計画位置ｄ１４が、相互に関連付けられている。種別ｄ１１は、形状や大きさなどを特定するためのものである。拘束方向・荷重ｄ１２には、垂直方向への荷重などの条件が含まれる。これにより、配管サポート施工図ｆ１，ｆ２（図２，図３参照）に記載された配管サポート７０の一覧を管理することが可能となる。
【００１９】
金物一覧表１２３には、図７に示すように、前記した金物番号ｄ２（図１，図４参照）、タイプｄ２１（図４参照）、許容荷重ｄ２２、形状・寸法ｄ２３、スタッドジベルｄ２４および計画位置ｄ２５（図４参照）が、相互に関連付けられている。タイプｄ２１としては、例えば、プレートの大きさやスタッドジベルの本数などがある。スタッドジベルｄ２４は、プレートに溶接される棒状の脚を意味する。
【００２０】
位置ずれ量一覧表１２４には、図８に示すように、前記した金物番号ｄ２（図１，図４参照）、計画位置ｄ２５（図４参照）、打設後の位置ｄ２６および位置ずれ量ｄ２７が、相互に関連付けられている。ここにいう打設後の位置ｄ２６は、配管サポート施工図ｆ１に記載の埋込金物８０が実際に打設された位置を意味する。位置ずれ量ｄ２７は、この打設後の位置ｄ２６と、計画位置ｄ２５（図４参照）との位置ずれの程度を意味する。
【００２１】
補強材選定条件１２５は、配管サポート施工図ｆ２に記載の補強材８１を選定するための条件である。すなわち、配管サポート施工図ｆ１に記載の埋込金物８０が打設された後、配管サポート７０を補強するために用いるプレートなどの補強材８１を選定するための条件である。具体的には、図８に示した位置ずれ量ｄ２７に適合する、配管サポート７０および埋込金物８０との組み合わせがこれに含まれている。ここにいう適合というのは、強度などの性能を総合的に評価して支障がないという意味である。
【００２２】
図１に戻って、管理者用端末４０は、例えばパーソナルコンピュータであり、マウスなどの入力装置、コンピュータディスプレイなどの表示装置、メモリなどの記憶装置およびＣＰＵなどの処理装置を具備している。
【００２３】
次に、施工者が、配管サポート施工図ｆ１（図２参照）および配置図（図４参照）を参照しながら施工した結果を反映して配管サポート施工図ｆ２（図３参照）に自動で編集する処理手順について説明する。
図９は、図面編集システムを用いて配管サポート施工図を編集する処理手順を示す図である。ここでは、まず、施工者が、現場調整などにより、埋込金物８０を製作して所定の位置に打設した場合を前提に説明する。また、この打設の際、施工者が、リーダライタ５０を用いて、その埋込金物８０のＩＣタグ８０ａに、該当する金物番号ｄ２を書き込むことを前提に説明することとする。なお、ＩＣタグ８０ａには、金物番号ｄ２のほかにも、タイプｄ２１などを書き込むようにしてもよい。
【００２４】
この場合、まず、施工者による位置測定器６０への操作により、位置測定器６０が、施工者によって打設された埋込金物８０の位置、すなわち埋込金物８０の打設後の位置ｄ２６を測定してリーダライタ５０に送信する（Ｓ１）。この送信は、例えば、施工者が、位置測定器６０とリーダライタ５０とを専用ケーブルで接続した後に行われる。
続いて、施工者が、リーダライタ５０を用いて、埋込金物８０に取り付けたＩＣタグ８０ａに記録された金物番号ｄ２を読み取る。そして、施工者によるリーダライタ５０の操作により、リーダライタ５０が、位置測定器６０から送信された打設後の位置ｄ２６を、その金物番号ｄ２ごとにサーバ１０に送信する（Ｓ２）。このようにして、施工者が配管サポート施工図ｆ１を参照しながら打設した埋込金物８０の位置が、打設後の位置ｄ２６としてサーバ１０に送信される。
なお、Ｓ２では、埋込金物８０の金物番号ｄ２を送信することとしたが、さらに、埋込金物８０のタイプｄ２１も送信するようにしてもよい。また、Ｓ２においては、リーダライタ５０が、位置測定器６０によって測定された打設後の位置ｄ２６をサーバ１０に送信することとしたが、例えば、位置測定器６０が、打設後の位置ｄ２６を金物番号ｄ２と関連付けて、直接、サーバ１０に送信するようにしてもよい。
【００２５】
次に、リーダライタ５０からの送信を受けて、サーバ１０の処理部１３が、打設後の位置ｄ２６を金物番号ｄ２ごとに受信する（Ｓ３）。続いて、処理部１３が、受信した金物番号ｄ２に対応する計画位置ｄ２５を記憶部１２の金物一覧表１２３（図７参照）から読み出し、Ｓ３で受信した打設後の位置ｄ２６と、前記読み出した計画位置ｄ２５とを金物番号ｄ２ごとに比較する（Ｓ４）。
そして、比較の結果、双方の位置が一致した場合（Ｓ５のＹｅｓ）、処理部１３は、その旨をリーダライタ５０に送信する（Ｓ６）。これにより、例えば、前記一致の旨が、リーダライタ５０上の表示パネルに表示され、施工者は、配管サポート施工図ｆ１の計画位置ｄ２５どおりに埋込金物８０が打設されたことを確認することが可能となる。この場合、施工者は、配管サポート施工図ｆ１を用いて、引き続き施工を続けることとなる。
【００２６】
これに対して、前記した比較の結果、双方の位置が不一致の場合（Ｓ５のＮｏ）、処理部１３は、双方の位置ずれの程度を示す位置ずれ量ｄ２７を算出する（Ｓ７）。位置ずれ量ｄ２７には、図４に示した計画位置ｄ２５と同様、「Ｘ」、「Ｙ」および「Ｚ」が含まれる。これにより、埋込金物８０の位置ずれの程度を客観的に指標することが可能となる。なお、Ｓ７で算出された位置ずれ量ｄ２７は、図８の位置ずれ量一覧表１２４に金物番号ｄ２ごとに登録される。
【００２７】
なお、サーバ１０の処理部１３は、Ｓ４で比較をする場合、Ｓ３で受信した打設後の位置ｄ２６に対応する金物番号ｄ２と、図７の金物一覧表１２３の中の金物番号ｄ２とを照合し、照合の結果（不一致，一致）をリーダライタ５０に送信して、そのリーダライタ５０上に表示させるようにしてもよい。このようにすると、施工者は、埋込金物８０の要否の確認作業を行うことが可能となる。
そして、施工者が、リーダライタ５０を用いて、埋込金物８０の要否の確認作業を終了する旨の情報をサーバ１０に送信した場合においては、サーバ１０の処理部１３は、次のような処理を行うようにしてもよい。まず、処理部１３は、チェック済みの埋込金物８０の金物番号ｄ２と、図７の金物一覧表１２３の中の金物番号ｄ２とを比較して、埋込金物８０のチェック漏れの有無を判断する。そして、処理部１３は、その判断の結果（チェック漏れの有無）をリーダライタ５０に送信する。このようにすると、施工者は、埋込金物８０のチェック漏れの有無を確認することが可能となり、円滑な施工が促進されることとなる。
【００２８】
次に、Ｓ８では、サーバ１０の処理部１３は、記憶部１２の補強材選定条件１２５に基づいて、Ｓ７で算出した位置ずれ量ｄ２７に適合する補強材８１を選定する。そして、処理部１３は、その補強材８１にて配管サポート７０を施工するための配管サポート施工図ｆ２に配管サポート施工図ｆ１を編集するための編集条件を生成する。編集条件には、補強材８１に関する情報（大きさ・寸法など）や、編集後の配管サポート７０のサポート寸法ｄ１３、該当する配管サポート７０のサポート番号ｄ１などが含まれる。そして、処理部１３は、その編集条件をＬＡＮ２０を介してＣＡＤ装置３０に送信する（Ｓ９）。
【００２９】
このようにすると、たとえ埋込金物８０が、配管サポート施工図ｆ１どおりの計画位置ｄ２５に打設されなかったとしても、その状況に応じた補強材８１を埋込金物８０の位置ずれ対策として選択し、その補強材８１にて配管サポート７０を施工する具体的な方法を後記する配管サポート施工図ｆ２として示すことが可能となる。
なお、処理部１３は、Ｓ９の送信の際、編集条件に合致するように、図６の配管サポート一覧表１２２や、図７の金物一覧表１２３を更新する。
【００３０】
次に、Ｓ１０では、サーバ１０からの送信を受けて、ＣＡＤ装置３０の処理部３５は、前記した編集条件を受信し、その編集条件に関する配管サポート施工図ｆ１を記憶部３４から読み出し、その配管サポート施工図ｆ１に当該編集条件を反映した配管サポート施工図ｆ２を作成する。なお、配管サポート施工図ｆ１の読み出しは、例えば、編集条件に含まれているサポート番号ｄ１をキーとして行う。
【００３１】
これにより、その後、管理者が、例えば、ＣＡＤ装置３０の入力部３１を用いて操作することにより、Ｓ１０で作成された配管サポート施工図ｆ２が、ＣＡＤ装置３０の表示部３２に外部出力されて表示されることとなる。また、その配管サポート施工図ｆ２が、図示しないプリンタに外部出力されて印刷されることとなる。このようにすると、施工者は、図３の配管サポート施工図ｆ２を参照しながら、配管サポート７０の施工を続けることが可能となる。
【００３２】
次に、施工者が配管サポート施工図ｆ２を参照しながら施工した結果を反映して、配管サポート７０の完成図ｆ３を自動で作成する処理手順について説明する。
図１０は、図面編集システムを用いて配管サポートの完成図を作成する処理手順を示す図である。
まず、施工者は、配管サポート施工図ｆ２に記載された配管サポート７０を製作して現場で組み立てる際、リーダライタ５０を用いて、その配管サポート７０に取り付けたＩＣタグ７０ａのサポート番号ｄ１を読み取る。そして、施工者は、リーダライタ５０を用いて、そのサポート番号ｄ１をサーバ１０に無線で送信する。そうすると、この送信を受けて、サーバ１０の処理部１３が、サポート番号ｄ１を受信する（Ｓ２０）。
【００３３】
また、施工者は、リーダライタ５０を用いて、その配管サポート７０に係合する埋込金物８０に取り付けたＩＣタグ８０ａの金物番号ｄ２を読み取る。そして、施工者は、リーダライタ５０を用いて、その金物番号ｄ２をサーバ１０に無線で送信する。そうすると、この送信を受けて、サーバ１０の処理部１３が、金物番号ｄ２を受信する（Ｓ２１）。
【００３４】
次に、サーバ１０の処理部１３は、Ｓ２０で受信したサポート番号ｄ１、およびＳ２１で受信した金物番号ｄ２の対応関係を、図５の配管サポート別金物対応表１２１と照合し（Ｓ２２）、照合の結果、不一致の場合（Ｓ２３のＮｏ）、その旨をリーダライタ５０に送信する（Ｓ２４）。これにより、例えば、リーダライタ５０の表示パネル上には、前記不一致の旨が表示され、施工者は、配管サポート７０と埋込金物８０との組み合わせを見直すことが可能となる。なお、このような場合、リーダライタ５０が、サーバ１０からの送信を受けて、アラームなどの音声で報知するようにしてもよい。
【００３５】
これに対して、前記した照合の結果、双方の対応関係が一致した場合（Ｓ２３のＹｅｓ）、サーバ１０の処理部１３は、その旨をリーダライタ５０に送信する（Ｓ２５）。これにより、例えば、リーダライタ５０の表示パネル上には、前記一致の旨が表示され、施工者は、配管サポート７０を予定通り施工してもよいことを確認することが可能となる。これにより、施工者は、安心して配管サポート７０を埋込金物８０に係合させることが可能となる。
【００３６】
このようにして、施工者が配管サポート７０を組み立てた場合、次に、施工者は、位置測定器６０を用いて、施工後の配管サポート７０の実寸法を測定する。ここにいう実寸法は、図３に示した配管サポート７０の「Ａ」、「Ｂ」および「Ｃ」の各寸法を意味する。
そして、施工者は、位置測定器６０を用いて、測定した配管サポート７０の実寸法をリーダライタ５０に送信する。これにより、位置測定器６０が、配管サポート７０の実寸法をリーダライタ５０に送信することとなる（Ｓ２６）。
【００３７】
続いて、施工者によるリーダライタ５０の操作により、リーダライタ５０が、Ｓ２６で送信された配管サポート７０の実寸法を、該当する配管サポート７０のサポート番号ｄ１ごとにサーバ１０に送信する。サポート番号ｄ１は、リーダライタ５０が配管サポート７０に取り付けられたＩＣタグ７０ａから読み取る。
そうすると、この送信を受けて、サーバ１０の処理部１３は、配管サポート７０の実寸法をサポート番号ｄ１ごとに受信する（Ｓ２７）。
【００３８】
ここで、このようにして、施工者が組み立てた配管サポート７０の完成例を図１１に示す。図１１（ａ）は配管サポート７０を壁側面から見た図であり、図１１（ｂ）は配管サポート７０を壁正面から見た図である。
図１１（ａ）によると、各配管サポート７０は、各埋込金物（実線部分）８０および補強材８１にて壁面で固定されている。そして、個々の配管サポート７０には、施工者によって貼り付けられたＩＣタグ７０ａが取り付けられている。なお、破線で示した埋込金物８０は、当初の計画位置、すなわち配置図（図４参照）に記載された計画位置ｄ２５に相当するものである。
また、図１１（ｂ）によると、個々の埋込金物８０には、施工者によって貼り付けられたＩＣタグ８０ａが取り付けられている。このようにして、配管サポート７０が、埋込金物８０および補強材８１にて壁面に組み立てられる。
【００３９】
図１１に戻って説明を続ける。次のＳ２８では、サーバ１０の処理部１３が、まず、Ｓ２７で受信したサポート番号ｄ１に対応するサポート寸法ｄ１３を記憶部１２の配管サポート一覧表１２２（図６参照）から読み出す。読み出されたサポート寸法ｄ１３は、配管サポート施工図ｆ２に記載された配管サポート７０の設計寸法である。
そして、処理部１３は、Ｓ２７で受信した配管サポート７０の実寸法と、前記読み出したサポート寸法ｄ１３との寸法差を算出する（Ｓ２８）。ここにいう寸法差は、図３に示した配管サポート７０の「Ａ」、「Ｂ」および「Ｃ」の各寸法差を意味する。これにより、施工者によって実際に組み立てられた配管サポート７０が、配管サポート施工図ｆ２に記載の配管サポート７０に比べて、どの程度の寸法差が生じたかを客観的に指標することが可能となる。
そして、処理部１３は、Ｓ２８で算出後の寸法差を、該当する配管サポート７０のサポート番号ｄ１に関連付けて、ＬＡＮ２０を介してＣＡＤ装置３０に送信する（Ｓ２９）。
【００４０】
そうすると、サーバ１０からの送信を受けて、ＣＡＤ装置３０の処理部３５は、Ｓ２９で送信された寸法差を受信し、その寸法差に関する配管サポート施工図ｆ２を記憶部３４から読み出し、その配管サポート施工図ｆ２に当該寸法差を反映して配管サポート７０の完成図ｆ３を作成する（Ｓ３０）。なお、配管サポート施工図ｆ１の読み出しは、例えば、サポート番号ｄ１をキーとして行う。
そして、処理部３５は、作成後の完成図ｆ３をサーバ１０に送信する（Ｓ３１）。これにより、サーバ１０の処理部１３は、管理者用端末４０からの要求に応じて、Ｓ３１で送信された完成図ｆ３を記憶部１２から読み出し、管理者用端末４０に外部出力（表示，プリント）することとなる。この完成図ｆ３の出力例を図１２に示す。
【００４１】
図１２によると、各配管サポート７０は、各埋込金物８０および補強材８１にて壁面で固定され、このときのサポート寸法が記載されている。つまり、図１１（ａ）（ｂ）に示した配管サポート７０の完成例に相当するものとして記載されている。これにより、管理者は、いつでも、配管サポート７０の完成図ｆ３を確認することができ、有用である。
【００４２】
なお、本発明は、前記した実施の形態に限定されない。図面編集システムの構成、データ構造および処理手順は、本発明の趣旨を逸脱しない限り、変更して構成するようにしてもよい。例えば、サーバ１０およびＣＡＤ装置３０の２台を用いて構成する場合について説明したが、１台や３台のコンピュータを用いて構成するようにしてもよい。例えば、ＣＡＤ装置３０にサーバ１０の機能を兼ね備えるようにして構成してもよい。
【図面の簡単な説明】
【００４３】
【図１】本発明の実施の形態に係る図面編集システムを示すブロック図である。
【図２】配管サポート施工図の一例を示す図である。
【図３】図２に示した配管サポート施工図の編集例を示す図である。
【図４】埋込金物の打設位置を示す配置図である。
【図５】図１に示した配管サポート別金物対応表の一例を示す説明図である。
【図６】図１に示した配管サポート一覧表の一例を示す説明図である。
【図７】図１に示した金物一覧表の一例を示す説明図である。
【図８】図１に示した位置ずれ量一覧表の一例を示す説明図である。
【図９】図面編集システムを用いて配管サポート施工図を編集する処理手順を示す図である。
【図１０】図面編集システムを用いて配管サポートの完成図を作成する処理手順を示す図である。
【図１１】配管サポートの完成例を示す図であり、同図（ａ）は配管サポートを壁側面から見た側面図、同図（ｂ）は配管サポートを壁正面から見た正面図である。
【図１２】配管サポートの完成図の一例を示す図である。
【符号の説明】
【００４４】
１０    サーバ（編集支援装置）
１２，３４    記憶部
１３，３５    処理部
３０    ＣＡＤ装置（図面編集装置）
５０    リーダライタ（読取器）
６０    位置測定器
７０ａ，８０ａ  ＩＣタグ
ｄ１    サポート番号（サポート用識別番号）
ｄ２    金物番号（金物用識別番号）
【図１】
2006214472.tif 000003
【図２】
2006214472.tif 000004
【図３】
2006214472.tif 000005
【図４】
2006214472.tif 000006
【図５】
2006214472.tif 000007
【図６】
2006214472.tif 000008
【図７】
2006214472.tif 000009
【図８】
2006214472.tif 000010
【図９】
2006214472.tif 000011
【図１０】
2006214472.tif 000012
【図１１】
2006214472.tif 000013
【図１２】
2006214472.tif 000014